(57)【要約】      （修正有）【課題】手を汚さないで犬の糞を路上や床に落ちる前に直接受ける製品が欲しい。【解決手段】通常はバネの力で柄が約７０度開いて、刃先側は閉じているクリップを硬質プラスチックで製作し、この刃先側の先端に下記カートリッジ式糞取り袋用差込み口を設ける。糞を直接受け取る幅約２０ｃｍ、深さ約１７ｃｍの袋をポリエチレンで作り、弾力性に富んだプラスチック製の板を入口の縁沿いに袋の幅の約２／３に亘って貼り付けてカートリッジ式糞取り袋を作る。このプラスチック板の片側を上記クリップの差込み口に入れる差込み部を設け、クリップへの着脱が簡単に出来るようにする。袋を装着した後、柄を握り締めるとプラスチック板がしなって袋はほぼ円形に近い形に開く。これを犬のお尻に当て、糞を受けた後、柄の握りを緩めると袋の入り口は閉じ、糞の入った袋をプラスチック板に巻くと臭いがもれず安心して持ち帰ることが出来る。【選択図】図１
2006025777.tif 000002
【特許請求の範囲】
【請求項１】
通常はバネの力で柄が約７０度開き、刃先側は閉じた状態になるクリップを硬質プラスチックで製作する。柄の長さは約７ｃｍ、刃先側の長さは約８ｃｍとし、その先端には下に述べるカートリッジ式糞取り袋を取り付ける差込み口を設ける。この差込み口にはカートリッジ式糞取り袋をしっかりと固定できる細工を施す。
犬の糞を受け取る為の幅約２０ｃｍ、深さ約１７ｃｍの袋をポリエチレン等の焼却処理できる材料で作る。その入口の縁沿いに袋の幅の約２／３に亘って弾力性のある硬質プラスチック製板を貼り付ける。この板の片側には長さ約２５ｍｍの上記クリップの差込み口へ入れる差込み部を設け、この部分は袋に貼り付けないで先端部はテーパー状にし、差し込み易くする。この袋１式をカートリッジ式糞取り袋という。
このカートリッジ式糞取り袋をクリップの差込み口に差し込むと、クリップにしっかりと固定され、クリップの柄を握り締めると袋の入口に取り付けた弾力性硬質プラスチックの板がしなりながら開くことで袋の入口は円形に近い形に開く。
犬が便意をもよおしたら、袋が開いた状態で犬のお尻にあてて糞を受け取り、終わったら柄の握りを緩めるとクリップのバネの力で袋は自然に閉じる。糞の入った袋をプラスチック板に巻きつけると臭いが漏れなくなりコンパクトにしまうことが出来るので安心して持ち帰ることが出来る。袋をクリップから外してバックにしまっても良いし、装着したまま持って帰ることも出来る。帰宅後クリップを開き、糞の入った袋の底を持って逆さまにすると糞だけをトイレに流すことが出来る。カートリッジ式糞取り袋はクリップから外して地域のルールに従って処理する。
【発明の詳細な説明】
【技術分野】
【０００１】  本発明は、犬が糞をする際に道路や床に落ちる前に手を汚さないで糞を直接受け取ることが出来る、携帯に便利で袋の着脱が簡単なカートリッジ式糞取り器の構成と形状に関する。
【背景技術】
【０００２】  犬の糞取り器は色々な製品が発表されているが、小型でクリップ式の板バネのしなりを利用した携帯性及び操作性に優れたカートリッジ式の製品はまだ十分に開発されていない。
【発明の開示】
【発明が解決しようとする課題】
【０００３】  犬と散歩中に困ることは、犬が突然便意をもよおすことである。ひとたび便意をもよおすと飼い主はどうすることも出来ず、ただ大便が終わるまで待って、路上に落ちてしまった糞を始末する。しかし、糞を始末した後どんなに念入りにふき取っても臭いや汚れを完全に消すことは出来ない。又、袋越しであっても糞を掴む感触を嫌がる人が多い。犬が便意をもよおしてから大便が出るまでには比較的時間があり、また、犬は大便中比較的動かず、お尻と地面との間に十分な間隔があるので、さっと袋を開いて糞を受けて簡単に閉じることの出来る、袋の着脱及び開閉の操作が簡単で携帯性に優れた製品が欲しい。
【課題を解決するための手段】
【０００４】  通常はバネの力で柄が約７０度開き、刃先側は閉じた状態になるクリップを硬質プラスチック製で製作する。刃先側の先端には下に述べるカートリッジ式糞取り袋を取り付ける差込み口を設ける。
犬の糞を受け取るポリエチレン製の袋を別に作り、その入口の縁沿いに袋の幅の約２／３に亘り弾力性のある硬質プラスチック製の板を貼り付ける。この弾力性硬質プラスチック板の端に上記クリップの差込み口に入れる差込み部を設けてクリップにしっかりと固定できる細工を施す。この袋１式をカートリッジ式糞取り袋という。【０００５】  カートリッジ式糞取り袋をクリップの差込み口に入れ、クリップの柄を握り締めると袋の入口縁沿いに取り付けた弾力性硬質プラスチック板がしなりながら開くことで袋の入口は円形に近い形に開く。犬が便意をもよおしたら、この開いた袋をお尻にあてて糞を受け取り、終わったら柄の握りを緩めるとクリップのバネの力で袋は自然に閉じる。袋を弾力性硬質プラスチック板に巻きつけると臭いが漏れなくコンパクトに纏めることが出来て安心して持ち帰ることが出来る。袋をクリップから外してバックにしまっても良いし、装着したまま持ち帰ることも出来る。帰宅後クリップを開き、糞の入った袋の底を持って逆さまにすると糞だけをトイレに流すことが出来る。糞取り袋はクリップから外して地域のルールに従って処理する。
【発明の効果】
【０００６】  袋を着脱が簡単なカートリッジ式にすることで、子供やお年寄りにも簡単に操作でき、小型犬専用の小さなサイズにすることで携帯性に優れた製品となる。犬と外出する時は、袋を装着したまま用意し、便意をもよおしたら袋をさっと開いて手を汚さないで糞を直接受けることが出来、糞の始末に煩わされないで犬との散歩を楽しむことが出来る。袋を装着しても重さは僅か約３０グラムで、何処にでも簡単に持っていける。持ち帰った糞はクリップを開いて袋を逆さにすることでトイレに糞だけを流すことが出来る。袋及び入口に貼り付けるプラスチック板の材質を焼却処分出来る材質にすることで環境への負荷を小さくすることが出来る。
【実施例１】
【０００７】  通常はバネの力で柄が約７０度に開き、刃先側は閉じた状態になるクリップをポリプロピレン等の硬質プラスチックで作る（符号１）。柄の長さは約７０ｍｍ、刃先側の長さを約８０ｍｍとし、刃先側の先端部にお互いに平行に向き合った幅約１０ｍｍ、厚さ約１ｍｍ、奥行き約１５ｍｍの溝を設ける（符号２）。この溝の中心線延長上の入口から約２０ｍｍの中心部に直径約５ｍｍの半球状の突起物を設ける（符号３）。この突起物の先端は上記溝の側面の延長線より僅かに突出するようにする。【０００８】  犬のお尻から糞を受ける幅約２００ｍｍ深さ約１７０ｍｍ、厚み約０．０２ｍｍのポリエチレン製袋を作る（符号４）。この袋の入口の縁沿いに幅約１０ｍｍ、厚さ約１ｍｍの弾力性に富んだプラスチック製板を入口の幅の約２／３に亘って貼り付ける（符号５）。この板の片側の端から約２５ｍｍを差込み部とし（符号６）、この部分は袋には貼り付けない。この先端部の約５ｍｍは上記クリップ先端部に設けた差込み口に差し易いようにテーパー状にし、端から約５ｍｍの中心線上に直径３ｍｍの穴を設ける（符号７）。この袋１式をカートリッジ式糞取り袋という。【０００９】  上記カートリッジ式糞取り袋の差込み部をクリップの差込み口に入れると、先端部が溝を通過した後、半球状突起物に当たり、更に押し込むとプラスチック板が僅かにしなって先端部の穴に半球状突起部が入り、カートリッジ式糞取り袋がしっかりと固定される。【００１０】  クリップを開くと袋の入口の縁沿いに貼り付けたプラスチック板が開き、先端部は拘束されているので緩やかにしなって袋の入口は円に近い形に開く（符号８）。糞を受けた後、クリップの柄を緩めるとバネの力で袋は閉じ、袋をプラスチック板に巻くと臭いが漏れず、コンパクトにしまうことが出来る。袋をクリップから外してしまることも出来るが、そのまま持ち帰ることも出来る。帰宅後クリップを開いて糞の入った袋の底を掴んで逆さにすると糞だけをトイレに流すことも出来る。袋は地域のルールに従って処分する。
【図面の簡単な説明】
【００１１】
【図１】クリップ及びカートリッジ式糞取り袋の平面図、側面図及び差込み部詳細図
【符号の説明】
【００１２】  １．クリップ本体
２．クリップの刃先側に設けたカートリッジ式糞取り袋用差込み口
３．半球状の突起物
４．カートリッジ式糞取り袋
５．糞取り袋の入口沿いに貼り付けたプラスチック板
６．カートリッジの差込み部
７．カートリッジ式糞取り袋のプラスチック板に設けた穴
８．クリップの柄を握り締めて袋を開いた状態
【図１】
2006025777.tif 000003